(57)【要約】      （修正有）【課題】使用者が重量の重い電子機器を着脱する場合の着脱動作を容易にする電子機器着脱治具を提供する。【解決手段】電子機器着脱治具１０ａは、重量電子機器を載せる第１のローラ１３ａ〜１３ｅと第１のローラ１３ａ〜１３ｅが組み込まれた第１のステージ１５とで構成され、重量電子機器の着脱方向に向かって傾斜した傾斜部と、傾斜部を上下に昇降する昇降部（伸縮部１６）と、昇降部の高さを調整する調整部（ハンドル１１）と、を備える。【選択図】図６
2020155515.tif 000002
【特許請求の範囲】
【請求項１】
電子機器を載せる第１のローラと前記第１のローラが組み込まれた第１のステージとで構成され、前記電子機器の着脱方向に向かって傾斜した傾斜部と、
前記傾斜部を上下に昇降する昇降部と、
前記昇降部の高さを調整する調整部と、
を備えることを特徴とする電子機器着脱治具。
【請求項２】
前記第１のローラは、
複数あって、
前記電子機器を取り外す方向に向かって直径の大きさが順次小さい
ことを特徴とする請求項１に記載の電子機器着脱治具。
【請求項３】
前記第１のステージは、
前記電子機器を取り外す方向に向かって高さが順に低い
ことを特徴とする請求項１に記載の電子機器着脱治具。
【請求項４】
前記傾斜部は、
前記電子機器を載せる第２のローラと、
前記第２のローラが組み込まれ、前記第１のステージの内側に挟まれるように収納でき、前記電子機器を取り外す方向に引き出すことができる第２のステージと、
をさらに備えたことを特徴とする請求項１から３のいずれか１項に記載の電子機器着脱治具。
【請求項５】
前記昇降部は、
ねじ、油圧ポンプ、空気圧又はギアのいずれかを用いて昇降する
ことを特徴とする請求項１から４のいずれか１項に記載の電子機器着脱治具。
【請求項６】
前記第１のローラ及び前記第２のローラの材質は、
樹脂製、金属製又はゴム製のいずれかである
ことを特徴とする請求項１から５のいずれか１項に記載の電子機器着脱治具。
【請求項７】
前記第１のローラ及び前記第２のローラの表面は、
塗装、メッキ又は保護シート貼付のいずれかの処理が行われている
ことを特徴とする請求項１から６のいずれか１項に記載の電子機器着脱治具。
【請求項８】
前記第１のローラ及び前記第２のローラの少なくともいずれか１つ以上に接するようにゴムストッパーを設置する
ことを特徴とする請求項１から７のいずれか１項に記載の電子機器着脱治具。
【請求項９】
筐体と、
前記筐体の底面に固定される固定部、及び前記固定部と接続され前記第１のローラが貫通する穴が設けられた固定面を有し、請求項１から８のいずれか１項に記載の電子機器着脱治具を前記固定部と前記固定面とで囲まれた空間に設置することができる支持板金と、
を備えたことを特徴とする電子機器装置。
【発明の詳細な説明】
【技術分野】
【０００１】
本発明は、筐体に電子機器を着脱する電子機器着脱治具及び電子機器装置に関するものである。
【背景技術】
【０００２】
従来の電子機器装置には、電子機器装置の筐体にスライドレールの雌口が設けられており、電子機器にスライドレールの雄口が設けられていた。そしてスライドレールの雄口を雌口に挿入して電子機器を着脱していた（例えば、特許文献１参照）。また、従来の電子機器の搭載方法には、ローラが設けられた補助ガイドを用いた方法があった。電子機器を搭載する筐体内にレールを設けることにより、ローラを案内としてレールに補助ガイドを挿入して電子機器を着脱していた（例えば、特許文献２参照）。
【先行技術文献】
【特許文献】
【０００３】
【特許文献１】特開平７−４４２７５号公報
【特許文献２】特開昭５８−１１２３９７号公報
【発明の概要】
【発明が解決しようとする課題】
【０００４】
しかしながら、このような従来の電子機器装置及び電子機器搭載方法では、重量の重い電子機器の着脱動作は困難であった。
【０００５】
本発明は、上述のような課題を解決するためになされたもので、重量の重い電子機器の着脱動作を容易にする電子機器着脱治具を提供することを目的とする。
【課題を解決するための手段】
【０００６】
本発明に係る電子機器着脱治具は、電子機器を載せる第１のローラと第１のローラが組み込まれた第１のステージとで構成され、電子機器の着脱方向に向かって傾斜した傾斜部と、傾斜部を上下に昇降する昇降部と、昇降部の高さを調整する調整部と、を備えることを特徴とする。
【発明の効果】
【０００７】
本発明に係る電子機器着脱治具は、重量の重い電子機器を摺動させて着脱する着脱動作を容易にすることができる。
【図面の簡単な説明】
【０００８】
【図１】実施の形態１に係る着脱治具を使用する際に用いる筐体の外観図の例である。
【図２】図１の筐体の正面図の例である。
【図３】実施の形態１に係る着脱治具を使用する電子機器装置の一部である支持板金の斜視図である。
【図４】実施の形態１に係る着脱治具を使用する電子機器装置の一部である支持板金の平面図である。
【図５】図２の正面図のＡ−A断面図である。
【図６】実施の形態１に係る電子機器着脱治具の構造例の図である。
【図７】実施の形態１に係る電子機器着脱治具が支持板金の固定面と固定部との間の空間に挿入される様子を表した図の例である。
【図８】実施の形態１に係る電子機器着脱治具が支持板金の固定面と固定部との間の空間に設置された様子を表した図の例である。
【図９】実施の形態１に係る電子機器着脱治具により重量電子機器が傾斜した状態になっている様子を表した図の例である。
【図１０】実施の形態２に係る電子機器着脱治具の構造例の図である。
【図１１】図１０の実施の形態２に係る電子機器着脱治具の平面図である。
【図１２】実施の形態２に係る電子機器着脱治具の傾斜部を図１１のＢの矢印方向から見た図である。
【図１３】ゴムストッパーを設置した実施の形態２に係る電子機器着脱治具の図の例である。
【図１４】図１３のゴムストッパーを設置した実施の形態２に係る電子機器着脱治具の平面図である。
【図１５】ゴムストッパーを設置した実施の形態２に係る電子機器着脱治具の傾斜部を図１４のＣの矢印方向から見た図である。
【図１６】実施の形態２に係る電子機器着脱治具が支持板金の固定面と固定部との間の空間に挿入される様子を表した図の例である。
【図１７】実施の形態２に係る電子機器着脱治具が支持板金の固定面と固定部との間の空間に設置された様子を表した図の例である。
【図１８】実施の形態２に係る電子機器着脱治具のステージを引き出した様子を表した図の例である。
【図１９】実施の形態２に係る電子機器着脱治具を筐体の外側に設置している様子を表した様子の図の例である。
【図２０】実施の形態２に係る電子機器着脱治具のステージを伸ばして支持板金の固定面上に設置した状態の様子を表した図の例である。
【図２１】実施の形態２に係る電子機器着脱治具を用いて重量電子機器を支持板金の固定面上に載置した状態の様子を示した図の例である。
【発明を実施するための形態】
【０００９】
実施の形態１．
本実施の形態に係る電子機器着脱治具について説明する。図１は、本実施の形態である電子機器着脱治具を用いて着脱する電子機器を搭載している筐体１の外観図の例である。
【００１０】
図１で示されるように、筐体１は、筐体本体１ａ、扉２及びヒンジ３で構成されている。ヒンジ３は、筐体本体１ａにねじ又は溶接等により固定され、回転軸ピン（図示せず）を有する。扉２はヒンジ３が有する回転軸ピンにより固定されている。扉２は、回転軸ピンが回転することで開閉可能となっている。
【００１１】
図２は、筐体１の正面図の例である。図２では扉２を省略して示している。筐体本体１ａの外枠部分を外枠部１ｂ、外枠部１ｂの内側を内枠部１ｃと呼ぶ。内枠部１ｃは、間口１ｄを有する。また、内枠部１ｃは、防水パッキン４を備えている。防水パッキン４が扉２と接触することにより、筐体１は防水機能を有する。本実施の形態では内枠部１ｃに防水パッキン４を備えることとしたが、例えばゴムパッキンを備えて衝撃吸収機能を有するようにしてもよい。
筐体１は内部に、複数の電子機器、柱板金８、ねじ９及び支持板金を備えており、固定面７２は、支持板金の一部である。支持板金の構造は後述する。また、電子機器装置は、筐体１と支持板金とを備えている。
【００１２】
支持板金及び柱板金８は、筐体１の内部にねじ９で固定、溶接又は接着して設置される。電子機器は、支持板金及び柱板金８にねじ９で固定して設置される。
筐体１に搭載する電子機器ついて述べる。本実施の形態では、重量の重い電子機器を重量電子機器５と呼ぶ。重量電子機器５は、支持板金にねじ９で固定して設置される。
重量電子機器５の上方の空間に設置する電子機器を大型電子機器６ａと呼び、重量電子機器５の左右の空間に設置する電子機器を小型電子機器６ｂと呼ぶ。重量電子機器５に比べて、大型電子機器６ａ及び小型電子機器６ｂの重量は軽い。また、大型電子機器６ａの方が小型電子機器６ｂよりも重量が重くて大きさが大きいとする。重量電子機器５、大型電子機器６ａ及び小型電子機器６ｂは、説明の便宜上区別したものでこれに限らない。大型電子機器６ａ及び小型電子機器６ｂは、柱板金８にねじ９で固定して設置される。
このように筐体１の内部に設置される電子機器は、筐体１に直接設置されるのではなく、支持板金又は柱板金８に固定して設置される。
【００１３】
ここで、支持板金の構成について述べる。図３は、重量電子機器５を下から支えている支持板金の斜視図である。図４は、支持板金の平面図である。支持板金は、固定部７１及び固定面７２で構成される。固定面７２には、貫通穴７３が設けられている。固定部７１は、筐体１の底面に溶接又は接着等で固定されている。固定面７２は、重量電子機器５とねじ９で固定されている。支持板金は、本実施の形態に係る電子機器着脱治具１０ａを固定部７１と固定面７２とで囲まれた空間に挿入することができるものとする。電子機器着脱治具１０ａについては後述する。
【００１４】
図５は、図２のＡ−Ａ断面図である。外枠部１ｂから内枠部１ｃにかけて段差が付けられていることにより、筐体１の底面に固定された支持板金の固定部７１と固定面７２とで囲まれた空間に電子機器着脱治具１０ａを設置する空間ができていることがわかる。
【００１５】
次に、本実施の形態に係る電子機器着脱治具１０ａについて説明する。
図６は、電子機器着脱治具１０ａの構造例の図を示している。電子機器着脱治具１０ａは、ハンドル１１、ねじ部１２、第１ローラであるローラ１３ａ〜１３ｅ、支持部１４、第１のステージであるステージ１５及び伸縮部１６を備えている。
ハンドル１１はねじ部１２と接続されており、ねじ部１２は伸縮部１６と接続されている。伸縮部１６は支持部１４及びステージ１５と接続され、ねじ部１２の回転に伴って上下に伸縮する。伸縮部１６が伸びるとステージ１５は上昇し、伸縮部１６が縮むとステージ１５は下降する。
ローラ１３ａ〜１３ｅは、ステージ１５に組み込まれている。ローラ１３ａ〜１３ｅの直径の大きさは、重量電子機器５の取り外す方向に向かってローラ１３ｅからローラ１３ａにかけて順次小さくなっている。ローラ１３ａ〜１３ｅの材質は、例えば樹脂、金属又はゴムである。ステージ１５の上昇に伴ってローラ１３ａ〜１３ｅも上昇する。
電子機器着脱治具１０ａは、ハンドル１１を回転させてねじ部１２を調整し、ねじ部１２の調整により伸縮部１６を伸縮させることで、ステージ１５を昇降させて使用される。
【００１６】
電子機器着脱治具１０ａを用いた着脱動作について述べる。図７〜図９は、電子機器着脱治具１０ａを使用した際の様子を段階的に示した概要図である。図７〜図９は、説明を分かりやすくするため、重量電子機器５、固定部７１の外枠、固定面７２、貫通穴７３、電子機器着脱治具１０ａ、外枠部１ｂ、内枠部１ｃ及び間口１ｄのみを示している。
図７は、固定部７１と固定面７２とで囲まれた空間に電子機器着脱治具１０ａを挿入する図である。図８は、電子機器着脱治具１０ａが固定部７１と固定面７２とで囲まれた空間に設置された図である。図９は、電子機器着脱治具１０ａにより重量電子機器５が傾斜した状態を示した図である。図７〜図９を用いて電子機器着脱治具１０ａを使用した様子を説明する。
【００１７】
まず、着脱したい重量電子機器５と固定面７２とが固定されているねじ９を外す。
次に図７のように、固定部７１と固定面７２とで囲まれた空間に電子機器着脱治具１０ａを挿入する。
挿入後、図８のように、電子機器着脱治具１０ａは、固定部７１と固定面７２とで囲まれた空間に設置される。電子機器着脱治具１０ａを固定部７１と固定面７２とで囲まれた空間に設置した状態で、ハンドル１１を回転させてステージ１５を上昇させる。
ステージ１５が上昇すると、図９のようにローラ１３ａ〜１３ｅは貫通穴７３を貫通して重量電子機器５に到達する。その結果、重量電子機器５は直径の大きいローラ１３ｅから直径の小さいローラ１３ａに向かって傾斜した状態でローラ１３ａ〜１３ｅ上に載る。したがって、間口１ｄまで重量電子機器５を容易に摺動させることが可能となる。
【００１８】
本実施の形態の電子機器着脱治具１０ａにより、間口１ｄまで重量電子機器５を容易に摺動させることができるため、着脱動作が容易になる。
また、固定部７１と固定面７２とで囲まれた空間を利用して電子機器着脱治具１０ａを設置するので、筐体１の内部にガイドレールといった着脱治具を設けるための新たなスペースが不要となり、スペースの有効利用につながる。
【００１９】
ねじ部１２及び伸縮部１６を合わせて昇降部とすると、本実施の形態の昇降部は、ねじ式としたが、例えば油圧ポンプ、空気圧又はギアといった方式でもよい。
また、本実施の形態では、昇降部の高さを調整する調整部を手動で回転させるハンドル１１としたが、電気を用いて可動するものとしてもよい。
また、ローラ１３ａ〜１３ｅ及びステージ１５を傾斜部とすると、傾斜部は重量電子機器５を傾斜状態で上に載せ、摺動させることができればよい。したがって、本実施の形態ではローラ１３ａ〜１３ｅは直径の大きさの異なるものであるとしたが、例えば、ローラ１３ａ〜１３ｅの直径を一律として、重量電子機器５を取り外す方向に向かってステージ１５の高さが順に低くなるようにしてもよい。
重量電子機器５の着脱動作時に、重量電子機器５に傷が付くのを防止するためにローラ１３ａ〜１３ｅの表面に塗装、メッキ、又は保護シート貼付の処理を行ってもよい。
また、固定面７２上に重量電子機器５を載置する場合、筐体１の外側に電子機器着脱治具１０ａを設置する。そして、重量電子機器５をステージ１５上に載せて摺動させることで、固定面７２上に載置する。
【００２０】
実施の形態２．
実施の形態２に係る電子機器着脱治具について説明する。実施の形態２に係る電子機器着脱治具と実施の形態１に係る電子機器着脱治具との相違は、実施の形態１では貫通穴を貫通するローラを組み込んだステージを設けていたが、実施の形態２では貫通穴を貫通するローラを組み込んだステージに加えて、電子機器着脱治具を支持板金の下に設置した際に支持板金の下から筐体の間口まで到達する長さを有するステージを設けた点である。なお、以下では、実施の形態１との相違点のみ説明し、同一又は対応する部分についての説明は省略する。符号についても、実施の形態１と同一又は相当部分は同一符号とし、説明を省略する。
【００２１】
図１０は、本実施の形態に係る電子機器着脱治具１０ｂの構造例を示している。また、図１１は、図１０の電子機器着脱治具１０ｂの平面図である。
本実施の形態に係る電子機器着脱治具１０ｂは、第１のステージであるステージ２１、第２のステージであるステージ２２、第１のローラであるローラ１７ａ〜１７ｄ及び第２のローラであるローラ１８ａ〜１８ｅを備えている。
ステージ２１は、ローラ１７ａ〜１７ｄが組み込まれている。本実施の形態では、ローラ１７ａ〜１７ｄの直径の大きさは、ローラ１７ｄからローラ１７ａにかけて順次小さくなっている。
同様に、ステージ２２は、ローラ１８ａ〜１８ｅが組み込まれている。本実施の形態ではローラ１８ａ〜１８ｅの直径の大きさは同じとするが、異なっていてもよい。
実施の形態１と同様に、ステージ２１、ローラ１７ａ〜１７ｄ、ステージ２２及びローラ１８ａ〜１８ｅを傾斜部とする。
図１２は、図１１のＢの矢印方向から見た傾斜部の図を表している。ステージ２２は、ステージ２１の内側で挟まれるように収納されることがわかる。
本実施の形態に係る電子機器着脱治具１０ｂは、実施の形態１と同様に重量電子機器をローラ１７ａ〜１７ｄ上で摺動させる際に、重量電子機器を取り外す方向にステージ２１からステージ２２を引き出して使用する。
【００２２】
ステージ２１からステージ２２を引き出す際に、重量電子機器を載せたローラ１７ａ〜１７ｄの回転を止めるため、ローラ１７ａ〜１７ｄのいずれか１つ以上に接触するようにゴムストッパーを設置する。その結果、ゴムストッパーを設置されたローラの位置で重量電子機器５の摺動を止めることができる。
【００２３】
図１３は、ローラ１７ａとローラ１７ｂとの間にゴムストッパー１９を設置した場合の電子機器着脱治具１０ｂの図の例を表している。図１４は、図１３の電子機器着脱治具１０ｂの平面図である。また、図１５は、傾斜部を図１４のＣの矢印方向から見た図である。
ローラ１７ａとローラ１７ｂとの間にゴムストッパー１９を設置することで、ローラ１７ａ及びローラ１７ｂの回転を止めることができる。
【００２４】
電子機器着脱治具１０ｂを使用した着脱動作について述べる。図１６〜図１８は、本実施の形態に係る電子機器着脱治具１０ｂを使用した際の様子を段階的に示した概要図である。図１６〜図１８は、説明を分かりやすくするため、重量電子機器５、固定部７１の外枠、固定面７２、貫通穴７３、電子機器着脱治具１０ｂ、外枠部１ｂ、内枠部１ｃ及び間口１ｄを示している。
図１６は、固定部７１と固定面７２とで囲まれた空間に電子機器着脱治具１０ｂを挿入する図である。図１７は、電子機器着脱治具１０ｂが固定部７１と固定面７２とで囲まれた空間に設置され、ステージ２２が引き出された状態を示した図である。図１８は、電子機器着脱治具１０ｂにより重量電子機器５が傾斜した状態を示した図である。図１６〜図１８を用いて電子機器着脱治具１０ｂを使用した様子を説明する。
【００２５】
まず、重量電子機器５と固定面７２とを固定しているねじ９を外す。
次に図１６のように、固定部７１と固定面７２とで囲まれた空間に電子機器着脱治具１０ｂを挿入する。
挿入後、図１７のように、電子機器着脱治具１０ｂを固定部７１と固定面７２とで囲まれた空間に設置する。
ハンドル１１を回転させてステージ２１を上昇させる。ステージ２１が上昇すると、図１８のようにローラ１７ａ〜１７ｄは、貫通穴７３を貫通して重量電子機器５に到達する。その結果、重量電子機器５は直径の大きいローラ１７ｄからローラ１７ａに向かって傾斜した状態でローラ１７ａ〜１７ｄに載る。本実施の形態では、重量電子機器５をローラ１７ａ〜１７ｄに載せた後、ステージ２２を引き出して間口１ｄまで到達する状態にする。ゴムストッパー１９が設置されていることでローラ１７ａ及びローラ１７ｂの回転を止めることができるため、重量電子機器５の摺動を停止させ、容易にステージ２２を引き出すことができる。
ステージ２２を引き出した後、重量電子機器５をローラ１７ａ〜１７ｄ上からローラ１８ａ〜１８ｅ上まで摺動させ、間口１ｄの外側まで摺動させることが可能となる。
また、本実施の形態では、ゴムストッパー１９を設ける場合について述べたが、設けなくても電子機器着脱治具１０ｂを使用することは可能である。
【００２６】
次に、固定面７２上に重量電子機器５を載置する場合の電子機器着脱治具１０ｂについて述べる。図１９〜図２１は、重量電子機器５を固定面７２上に載置する際に電子機器着脱治具１０ｂ使用した際の様子を段階的に示した図である。図１９〜図２１は、説明を分かりやすくするため、重量電子機器５、固定部７１の外枠、固定面７２、貫通穴７３、電子機器着脱治具１０ｂ、外枠部１ｂ、内枠部１ｃ及び間口１ｄのみを示している。
図１９は、電子機器着脱治具１０ｂを筐体の外側に設置した図である。図２０は、電子機器着脱治具１０ｂからステージ２２が引き出された状態を示した図である。図２１は、電子機器着脱治具１０ｂにより重量電子機器５が固定面７２上に載置された図である。図１９〜図２１を用いて電子機器着脱治具１０ｂを使用した様子を説明する。
【００２７】
まず、図１９で示すように、電子機器着脱治具１０ｂを筐体１の外側に設置する。
次に図２０で示すように、ステージ２２を引き出し、固定面７２上に届くように設置する。その結果、ローラ１７ａ〜１７ｄに重量電子機器５を載せ、ローラ１７ａ〜１７ｄ及びローラ１８ａ〜１８ｅ上を摺動させて固定面７２に容易に載置することができる。図２１は、重量電子機器５が固定面７２上に載置された様子を示している。
【００２８】
本実施の形態に係る電子機器着脱治具１０ｂは、ステージ２１及びステージ２２を設けることで、重量電子機器５を、固定面７２から筐体１の外側まで摺動させて着脱することができるため、容易に着脱動作を行うことができる。また、ステージ２１に加えてステージ２２が設けられていることで、実施の形態１よりも広い空間で重量電子機器５の着脱動作を行うことができ、運搬作業性が向上する。さらに、重量電子機器５を載置する場合にも用いることができる。
また、電子機器着脱治具１０ｂのローラ１７ａ〜１７ｄのいずれか１つ以上にゴムストッパー１９を設置することにより、重量電子機器５の摺動を止めたい場所で摺動を止めることができるため、重量電子機器５を電子機器着脱治具１０ｂ上に載せた状態のまま容易に着脱作業をすることができる。本実施の形態では、ローラ１７ａ〜１７ｄのいずれか１つ以上にゴムストッパーを設置することを述べたが、ローラ１８ａ〜１８ｅ上で重量電子機器５の摺動を止めたい場合は、ローラ１８ａ〜１８ｅのいずれか１つ以上に設置してもよい。
【符号の説明】
【００２９】
１  筐体
５  重量電子機器
７１  固定部
７２  固定面
７３  貫通穴
１０ａ，１０ｂ  電子機器着脱治具
１１  ハンドル
１２  ねじ部
１３ａ，１３ｂ，１３ｃ，１３ｄ，１３ｅ，１７ａ，１７ｂ，１７ｃ，１７ｄ，１８ａ，１８ｂ，１８ｃ，１８ｄ，１８ｅ  ローラ
１５  、２１、２２  ステージ
１６  伸縮部
１９  ゴムストッパー
【図１】
2020155515.tif 000003
【図２】
2020155515.tif 000004
【図３】
2020155515.tif 000005
【図４】
2020155515.tif 000006
【図５】
2020155515.tif 000007
【図６】
2020155515.tif 000008
【図７】
2020155515.tif 000009
【図８】
2020155515.tif 000010
【図９】
2020155515.tif 000011
【図１０】
2020155515.tif 000012
【図１１】
2020155515.tif 000013
【図１２】
2020155515.tif 000014
【図１３】
2020155515.tif 000015
【図１４】
2020155515.tif 000016
【図１５】
2020155515.tif 000017
【図１６】
2020155515.tif 000018
【図１７】
2020155515.tif 000019
【図１８】
2020155515.tif 000020
【図１９】
2020155515.tif 000021
【図２０】
2020155515.tif 000022
【図２１】
2020155515.tif 000023